(57)【要約】      （修正有）【課題】簡単な構成で誰でも容易に缶を開けることができる缶オープナーを提供する。【解決手段】缶１００の上面１１０へリベット１２０で取付けられているステイオンタブ１３０を起立させることにより、缶１００の上面１１０に開口を形成する缶オープナー１０００であって、ステイオンタブ１３０と係合する係合部材３０００と、係合部材３０００へ取付けられた把持部材２０００と、を備え、係合部材３０００は、ステイオンタブ１３０が入込む隙間３１５０が形成されるように、左端部３１３０および右端部３１４０が折曲げられている薄板３１００を利用して形成されており、薄板３１００の後端部３１２０は、把持部材２０００へ取付けられており、薄板３１００の前端部３１１０の中央位置には、リベット１２０が嵌込むような形状の凹み３１１１が形成されている缶オープナー１０００である。【選択図】図２
0003212117.tif 000002
【実用新案登録請求の範囲】
【請求項１】
缶の上面へリベットで取付けられているステイオンタブを起立させることにより、前記缶の前記上面に開口を形成する缶オープナーであって、
前記ステイオンタブと係合する係合部材と、
前記係合部材へ取付けられた把持部材と、
を備え、
前記係合部材は、前記ステイオンタブが入込む隙間が形成されるように、左端部および右端部が折曲げられている薄板を利用して形成されており、
前記薄板の後端部は、前記把持部材へ取付けられており、
前記薄板の前端部の中央位置には、前記リベットが嵌込むような形状の凹みが形成されていることを特徴とする缶オープナー。
【請求項２】
前記薄板の前記前端部は、前記折曲げられている薄板の前記左端部および前記右端部より前側へ突出しており、上側へ持上げられるように折曲げられていることを特徴とする請求項１に記載の缶オープナー。
【請求項３】
前記係合部材の左右幅が前記ステイオンタブの左右幅より大きくなっており、前記ステイオンタブが前記隙間へ緩く入込むことができるように、前記薄板の前記左端部および前記右端部は折曲げられていることを特徴とする請求項１または２に記載の缶オープナー。
【考案の詳細な説明】
【技術分野】
【０００１】
本考案は、たとえば、飲料缶などのような缶を開けるための缶オープナーに関する。
【背景技術】
【０００２】
飲料缶などのような缶を開けるための缶オープナーが、知られている（たとえば、特許文献１参照）。
【０００３】
このような缶オープナーについて具体的に説明すると、つぎの通りである。
【０００４】
すなわち、プルトップ缶の缶蓋と嵌合しその缶蓋に対して周方向に回転可能な円筒状のオープナー本体を設け、そのオープナー本体の小径内壁部に螺旋状の係合案内片を形成する。そして、オープナー本体を回転させることにより、プルタブは係合案内片の係合始端から係合終端に到るまで係合して起立させられる。
【０００５】
すると、中身をこぼすことなく、１つの動作でプルタブを引き起こして飲み口を開封できる。
【先行技術文献】
【特許文献】
【０００６】
【特許文献１】２０１０−１４９９０５号公報
【考案の概要】
【考案が解決しようとする課題】
【０００７】
ところで、本考案者は、誰でも容易に缶を開けることができる缶オープナーのニーズが高まってきていることに気付いた。
【０００８】
そして、本考案者は、簡単な構成で誰でも容易に缶を開けることができる缶オープナーが要望されていると考えている。
【０００９】
本考案は、上述された従来の課題を考慮し、簡単な構成で誰でも容易に缶を開けることができる缶オープナーを提供することを目的とする。
【課題を解決するための手段】
【００１０】
第１の本考案は、缶の上面へリベットで取付けられているステイオンタブを起立させることにより、前記缶の前記上面に開口を形成する缶オープナーであって、
前記ステイオンタブと係合する係合部材と、
前記係合部材へ取付けられた把持部材と、
を備え、
前記係合部材は、前記ステイオンタブが入込む隙間が形成されるように、左端部および右端部が折曲げられている薄板を利用して形成されており、
前記薄板の後端部は、前記把持部材へ取付けられており、
前記薄板の前端部の中央位置には、前記リベットが嵌込むような形状の凹みが形成されていることを特徴とする缶オープナーである。
【００１１】
これにより、係合部材は、ステイオンタブが入込む隙間が形成されるように、左端部および右端部が折曲げられている薄板を利用して形成されており、薄板の後端部は、把持部材へ取付けられており、薄板の前端部の中央位置には、リベットが嵌込むような形状の凹みが形成されているので、簡単な構成で誰でも容易に缶を開けることができる缶オープナーを提供することができる。
【００１２】
第２の本考案は、前記薄板の前記前端部は、前記折曲げられている薄板の前記左端部および前記右端部より前側へ突出しており、上側へ持上げられるように折曲げられていることを特徴とする第１の本考案の缶オープナーである。
【００１３】
これにより、薄板の前端部は、折曲げられている薄板の左端部および右端部より前側へ突出しており、上側へ持上げられるように折曲げられているので、より容易に缶を開けることができる缶オープナーを提供することができる。
【００１４】
第３の本考案は、前記係合部材の左右幅が前記ステイオンタブの左右幅より大きくなっており、前記ステイオンタブが前記隙間へ緩く入込むことができるように、前記薄板の前記左端部および前記右端部は折曲げられていることを特徴とする第１または第２の本考案の缶オープナーである。
【００１５】
これにより、係合部材の左右幅がステイオンタブの左右幅より大きくなっており、ステイオンタブが隙間へ緩く入込むことができるように、薄板の左端部および右端部は折曲げられているので、より簡単な構成で缶を開けることができる缶オープナーを提供することができる。
【考案の効果】
【００１６】
本考案により、簡単な構成で誰でも容易に缶を開けることが可能な缶オープナーを提供することができる。
【図面の簡単な説明】
【００１７】
【図１】本考案における実施の形態の缶オープナーの模式的な斜視図（その一）
【図２】本考案における実施の形態の缶オープナーの模式的な斜視図（その二）
【図３】本考案における実施の形態の缶オープナーの模式的な上面図
【図４】本考案における実施の形態の缶オープナーの模式的な左側面図（その一）
【図５】本考案における実施の形態の缶オープナーの模式的な斜視図（その三）
【図６】本考案における実施の形態の缶オープナーの模式的な左側面図（その二）
【考案を実施するための形態】
【００１８】
以下、図面を参照しながら、本考案における実施の形態について詳細に説明する。
【００１９】
はじめに、図１〜４を参照しながら、本実施の形態の缶オープナー１０００について具体的に説明する。
【００２０】
ここに、図１および２は本考案における実施の形態の缶オープナー１０００の模式的な斜視図（その一および二）であり、図３は本考案における実施の形態の缶オープナー１０００の模式的な上面図であり、図４は本考案における実施の形態の缶オープナー１０００の模式的な左側面図（その一）である。
【００２１】
図１、３および４においては、缶オープナー１０００が使用されていない状態が示されている。
【００２２】
図２においては、缶オープナー１０００が缶１００を開けるために使用されようとしている状態が示されている。
【００２３】
以下同様であるが、いくつかの構成要素は図面において示されていないこともあるし省略的に示されていることもある。
【００２４】
缶オープナー１０００は、缶１００の上面１１０へリベット１２０で取付けられているステイオンタブ１３０を起立させることにより、缶１００の上面１１０に開口を形成するオープナーである。
【００２５】
ステイオンタブ１３０は、本体部１３１と、取付け部１３２と、孔部１３３と、を含む。孔部１３３が形成されている本体部１３１は、取付け部１３２を貫通するリベット１２０を利用して缶１００の上面１１０へ取付けられている。
【００２６】
缶１００の上面１１０には、舌状片１１１が切欠き線１１２を利用して形成されている。
【００２７】
缶オープナー１０００が利用されない場合においては、ステイオンタブ１３０は孔部１３３に挿入された手指により起立させられ、舌状片１１１はステイオンタブ１３０の当接で缶１００の内部に押込まれて、開口が缶１００の上面１１０に形成される。
【００２８】
このようにステイオンタブ１３０を手指により起立させて、舌状片１１１を缶１００の内部に押込むためには、ある程度の手指の力が必要であり、開口を缶１００の上面１１０に形成する操作は子供および老人などにとって困難であることがある。
【００２９】
本実施の形態においては、缶オープナー１０００が利用されるので、開口を缶１００の上面１１０に形成する操作は子供および老人などにとっても容易である。
【００３０】
缶オープナー１０００は、係合部材３０００と、把持部材２０００と、を含む。
【００３１】
係合部材３０００は、ステイオンタブ１３０と係合する部材である。
【００３２】
係合部材３０００の形状は、ステイオンタブ１３０との係合が容易な任意の形状である。そして、本実施の形態においては、係合部材３０００はＳＵＳ（Ｓｔｅｅｌ  Ｕｓｅ  Ｓｔａｉｎｌｅｓｓ）材などを利用する金属製である。
【００３３】
変形例の形態においては、係合部材３０００は、たとえば、樹脂製であってもよいし、木製であってもよい。
【００３４】
係合部材３０００は、左右幅
（数１）
Ｗａ＝２０［ｍｍ］
を有するとともに、前後長さ
（数２）
Ｌａ＝３２［ｍｍ］
および厚み
（数３）
Ｔａ＝８．０［ｍｍ］
を有する。
【００３５】
もちろん、このような係合部材３０００の寸法は、単なる具体的な一例としての寸法である。
【００３６】
したがって、係合部材３０００の大きさ、形状および材料などが任意であることは、言うまでもない。
【００３７】
把持部材２０００は、係合部材３０００へ取付けられた部材である。
【００３８】
把持部材２０００の形状は、缶オープナー１０００のユーザーによる把持が容易な任意の形状である。そして、本実施の形態においては、把持部材２０００はＰＳ（Ｐｏｌｙｓｔｙｒｅｎｅ）材またはＰＰ（Ｐｏｌｙｐｒｏｐｙｌｅｎｅ）材などを利用する樹脂製である。
【００３９】
変形例の形態においては、把持部材２０００は、たとえば、金属製であってもよいし、木製であってもよい。
【００４０】
把持部材２０００は、左右幅
（数４）
Ｗｂ＝２７［ｍｍ］（＞Ｗａ）
を有するとともに、前後長さ
（数５）
Ｌｂ＝８４［ｍｍ］（＞Ｌａ）
および厚み
（数６）
Ｔｂ＝１１［ｍｍ］（＞Ｔａ）
を有する。
【００４１】
もちろん、このような把持部材２０００の寸法は、単なる具体的な一例としての寸法である。
【００４２】
したがって、把持部材２０００の大きさ、形状および材料などが任意であることは、言うまでもない。
【００４３】
つぎに、図１〜６を参照しながら、本実施の形態の缶オープナー１０００についてより具体的に説明する。
【００４４】
ここに、図５は本考案における実施の形態の缶オープナー１０００の模式的な斜視図（その三）であり、図６は本考案における実施の形態の缶オープナー１０００の模式的な左側面図（その二）である。
【００４５】
図５および６においては、缶オープナー１０００が缶１００を開けるために使用されている状態が示されている。図５においては、缶オープナー１０００は仮想的に点線で示されている。
【００４６】
係合部材３０００は、ステイオンタブ１３０が入込む隙間３１５０が形成されるように、左端部３１３０および右端部３１４０が折曲げられている薄板３１００を利用して形成されている。
【００４７】
折曲げられている薄板３１００の左端部３１３０および右端部３１４０は、隙間３１５０が上方に開放されるように、左右方向において離間している。
【００４８】
缶オープナー１０００が缶１００を開けるために使用されようとしている状態においては、係合部材３０００は、薄板３１００がステイオンタブ１３０の本体部１３１とステイオンタブ１３０の取付け部１３２との間に入込んでいくように、缶オープナー１０００のユーザーにより矢印Ａ１の向きへ押込まれる。このとき、薄板３１００の左端部３１３０および右端部３１４０は離間しており、隙間３１５０に入込んでいくステイオンタブ１３０は上方から視認可能である。したがって、係合部材３０００をステイオンタブ１３０と係合させる操作は、子供および老人などにとっても容易である。
【００４９】
薄板３１００の後端部３１２０は、把持部材２０００へ取付けられている。
【００５０】
本実施の形態においては、係合部材３０００の把持部材２０００への取付けには嵌込みによる結合が利用されている。
【００５１】
変形例の形態においては、係合部材３０００の把持部材２０００への取付けには、たとえば、螺子止めまたはピン止めによる結合が利用されてもよいし、接着剤による結合が利用されてもよい。
【００５２】
薄板３１００の前端部３１１０の中央位置には、リベット１２０が嵌込むような形状の凹み３１１１が形成されている。
【００５３】
すなわち、凹み３１１１の形状は、リベット１２０の形状に応じた、真円または楕円の一部の形状などのような形状である。
【００５４】
薄板３１００の前端部３１１０の左位置および右位置には、左丸み飛出し３１１２および右丸み飛出し３１１３が、凹み３１１１が間に挟まれるように、それぞれ形成されている。
【００５５】
缶オープナー１０００が缶１００を開けるために使用されている状態においては、把持部材２０００は缶オープナー１０００のユーザーにより矢印Ａ２の向きへ押上げられる。このとき、リベット１２０は凹み３１１１に嵌込んでおり、左丸み飛出し３１１２および右丸み飛出し３１１３は缶１００の上面１１０に沿うステイオンタブ１３０の取付け部１３２に上方からしっかりと押付けられる。したがって、ステイオンタブ１３０の本体部１３１を起立させ、舌状片１１１を缶１００の内部に押込み、開口を缶１００の上面１１０に形成する操作は、子供および老人などにとっても容易である。
【００５６】
薄板３１００の前端部３１１０は、折曲げられている薄板３１００の左端部３１３０および右端部３１４０より前側へ突出しており、上側へ持上げられるように折曲げられている。
【００５７】
すなわち、薄板３１００の前端部３１１０は、折曲げられている薄板３１００の左端部３１３０および右端部３１４０より矢印Ａ３の向きへ突出しており、矢印Ａ４の向きへ持上げられるように折曲げられている。
【００５８】
缶オープナー１０００が缶１００を開けるために使用されようとしている状態においては、係合部材３０００は、薄板３１００がステイオンタブ１３０の本体部１３１とステイオンタブ１３０の取付け部１３２との間に入込んでいくように、缶オープナー１０００のユーザーにより矢印Ａ１の向きへ押込まれる。このとき、上側へ持上げられるように折曲げられている薄板３１００の前端部３１１０が缶１００の上面１１０と平行になり、把持部材２０００と缶１００の上面１１０との間にはユーザーの手指が入る十分な空間が形成されている。したがって、係合部材３０００をステイオンタブ１３０と係合させる操作は、子供および老人などにとっても容易である。
【００５９】
缶オープナー１０００が缶１００を開けるために使用されている状態においては、把持部材２０００は缶オープナー１０００のユーザーにより矢印Ａ２の向きへ押上げられる。このとき、上側へ持上げられるように折曲げられている薄板３１００の前端部３１１０が缶１００の上面１１０と平行になり、把持部材２０００と缶１００の上面１１０との間にはユーザーの手指が入る十分な空間が形成されている。したがって、ステイオンタブ１３０の本体部１３１を起立させ、舌状片１１１を缶１００の内部に押込み、開口を缶１００の上面１１０に形成する操作は、子供および老人などにとっても容易である。
【００６０】
係合部材３０００の左右幅Ｗａがステイオンタブ１３０の左右幅ｗより大きくなっており、ステイオンタブ１３０が隙間３１５０へ緩く入込むことができるように、薄板３１００の左端部３１３０および右端部３１４０は折曲げられている。
【００６１】
缶オープナー１０００が缶１００を開けるために使用されようとしている状態においては、係合部材３０００は、薄板３１００がステイオンタブ１３０の本体部１３１とステイオンタブ１３０の取付け部１３２との間に入込んでいくように、缶オープナー１０００のユーザーにより矢印Ａ１の向きへ押込まれる。このとき、ステイオンタブ１３０は隙間３１５０へ緩く入込むことができ、係合部材３０００の押込みはスムーズである。したがって、係合部材３０００をステイオンタブ１３０と係合させる操作は、子供および老人などにとっても容易である。
【００６２】
缶１００は、本考案の缶の一例である。
【００６３】
上面１１０は本考案の上面の一例であり、リベット１２０は本考案のリベットの一例であり、ステイオンタブ１３０は本考案のステイオンタブの一例である。
【００６４】
缶オープナー１０００は、本考案の缶オープナーの一例である。
【００６５】
把持部材２０００は、本考案の把持部材の一例である。
【００６６】
係合部材３０００は、本考案の係合部材の一例である。
【００６７】
薄板３１００は、本考案の薄板の一例である。
【００６８】
前端部３１１０は本考案の前端部の一例であり、凹み３１１１は本考案の凹みの一例である。
【００６９】
後端部３１２０は、本考案の後端部の一例である。
【００７０】
左端部３１３０は、本考案の左端部の一例である。
【００７１】
右端部３１４０は、本考案の右端部の一例である。
【００７２】
隙間３１５０は、本考案の隙間の一例である。
【産業上の利用可能性】
【００７３】
本考案における缶オープナーは、簡単な構成で誰でも容易に缶を開けることができ、たとえば、飲料缶などのような缶を開けるための缶オープナーに利用する目的に有用である。
【符号の説明】
【００７４】
１００  缶
１１０  上面
１１１  舌状片
１１２  切欠き線
１２０  リベット
１３０  ステイオンタブ
１３１  本体部
１３２  取付け部
１３３  孔部
１０００  缶オープナー
２０００  把持部材
３０００  係合部材
３１００  薄板
３１１０  前端部
３１１１  凹み
３１１２  左丸み飛出し
３１１３  右丸み飛出し
３１２０  後端部
３１３０  左端部
３１４０  右端部
３１５０  隙間
【図１】
0003212117.tif 000003
【図２】
0003212117.tif 000004
【図３】
0003212117.tif 000005
【図４】
0003212117.tif 000006
【図５】
0003212117.tif 000007
【図６】
0003212117.tif 000008